(57)【要約】    【課題】      ＩＰ電話装置のユーザがＥＮＵＭサーバにＮＡＰＴＲレコードを登録する手間を省略すること。    【解決手段】  ＩＰ電話１０１のＣＰＵ２０１は、ＥＮＵＭサーバ１０３へ宛先端末に対応するＮＡＰＴＲレコードを問い合わせる「ＮＡＰＴＲ問い合わせ」の送出や、その「ＮＡＰＴＲ問い合わせ」に対する応答「ＮＡＰＴＲ情報応答」の受信の制御を行う。また、ＣＰＵ２０１は、ＩＰ電話１０１がＩＰネットワーク１０５に接続され設置された後の最初の電源オン時に、予めメモリ２０２に記憶した自装置の端末の登録要求を、ネットワークＩ／Ｆ２０５からＥＮＵＭサーバ１０３に自動的に送出する処理、その登録要求に対する応答「登録完了応答」を受信する処理を制御する。  【選択図】      図２
2006094463.tif 000002
【特許請求の範囲】
【請求項１】
ＥＮＵＭサーバとＩＰネットワークを介して接続されるＩＰ電話装置であって、
前記ＥＮＵＭサーバに対して自装置の端末の登録要求を送信する送信手段を具備することを特徴とするＩＰ電話装置。
【請求項２】
前記送信手段は、前記ＩＰ電話装置を設置後の起動時に前記登録要求を送信することを特徴とする請求項１記載のＩＰ電話装置。
【請求項３】
前記ＩＰ電話装置はユーザが在宅であることを示すために押下する在宅キーを備え、前記送信手段は前記在宅キーが押下されたときに前記登録要求を送信することを特徴とする請求項１記載のＩＰ電話装置。
【請求項４】
前記ＩＰネットワークを介してＩＰ電話装置の呼接続を制御する呼接続制御装置と接続され、ユーザが在宅していることを通知する通知先のＩＰ電話装置の電話番号を記憶する記憶手段と、
前記記憶手段に記憶される通知先のＩＰ電話装置の端末情報を前記ＥＮＵＭサーバから取得し、該端末情報により前記呼接続制御装置から前記通知先のＩＰアドレスを取得する取得手段と、を具備し、
前記送信手段は、前記ＩＰアドレスを取得した通知先にユーザが在宅していることを示す在宅通知情報を送信することを特徴とする請求項１記載のＩＰ電話装置。
【請求項５】
ＥＮＵＭサーバとＩＰ電話装置の呼接続を制御する呼接続制御装置とにＩＰネットワークを介して接続されるＩＰ電話装置であって、
前記ＩＰ電話装置はユーザが在宅であることを示すために押下する在宅キーを備え、前記在宅キーが押下されたときに前記ＥＮＵＭサーバに対して自装置の端末の登録要求を送信する送信手段と、
ユーザが在宅していることを通知する通知先のＩＰ電話装置の電話番号を記憶する記憶手段と、前記記憶手段に記憶される通知先のＩＰ電話装置の端末情報を前記ＥＮＵＭサーバから取得し、該端末情報により前記呼接続制御装置から前記通知先のＩＰアドレスを取得する取得手段と、を具備し、
前記送信手段は、前記ＩＰアドレスを取得した通知先にユーザが在宅していることを示す在宅通知情報を送信することを特徴とするＩＰ電話装置。
【請求項６】
他のＩＰ電話装置から在宅通知情報を受信する受信手段と、
前記受信手段により在宅通知情報を受信したとき、前記他のＩＰ電話装置のユーザの在宅を表示する表示手段と、
を具備することを特徴とする請求項１又は４又は５記載のＩＰ電話装置。
【請求項７】
ＩＰ電話装置とＩＰネットワークを介して接続されるＥＮＵＭサーバであって、
ＩＰ電話装置の端末情報を記憶する記憶手段と、前記ＩＰ電話装置から端末情報を登録するための登録要求を受信する受信手段と、
前記受信手段により登録要求を受信したとき、前記ＩＰ電話装置の端末情報を前記記憶手段に登録する登録手段と、
前記登録手段による登録結果を前記ＩＰ電話装置に送信する送信手段と、を具備することを特徴とするＥＮＵＭサーバ。
【請求項８】
ＩＰネットワークに接続されたＩＰ電話装置と、ＩＰ電話装置の情報を登録するデータベースを具備するＥＮＵＭサーバと、を具備するＩＰ電話システムであって、
前記ＩＰ電話装置は、前記ＥＮＵＭサーバに対して自装置の端末の登録要求を送信する送信手段を具備し、
前記ＥＮＵＭサーバは、
前記ＩＰ電話装置から送信される登録要求を受信する受信手段と、
前記登録要求を受信したとき、前記ＩＰ電話装置の端末情報を前記データベースに登録する登録手段と、
前記登録手段による登録結果を前記ＩＰ電話装置に送信する送信手段と、を具備することを特徴とするＩＰ電話システム。
【請求項９】
ＩＰネットワークに接続されたＩＰ電話装置と、ＩＰ電話装置の情報を登録するデータベースを具備するＥＮＵＭサーバと、ＩＰ電話装置の呼接続を制御する呼接続制御装置とを具備するＩＰ電話システムであって、
前記ＩＰ電話装置は、
ユーザが在宅であることを示すために押下する在宅キーを備え、前記在宅キーが押下されたときに前記ＥＮＵＭサーバに対して自装置の端末の登録要求を送信する送信手段と、
ユーザが在宅していることを通知する通知先のＩＰ電話装置の電話番号を記憶する記憶手段と、
前記記憶手段に記憶される通知先のＩＰ電話装置の端末情報を前記ＥＮＵＭサーバから取得し、該端末情報により前記呼接続制御装置から前記通知先のＩＰアドレスを取得する取得手段と、を具備し、
前記送信手段は、前記ＩＰアドレスを取得した通知先にユーザが在宅していることを示す在宅通知情報を送信し、
前記ＥＮＵＭサーバは、
前記ＩＰ電話装置から送信される登録要求または他のＩＰ電話装置の端末情報の問い合わせを受信する受信手段と、
前記登録要求を受信したとき、前記ＩＰ電話装置の端末情報を前記データベースに登録する登録手段と、
前記問い合わせを受信したとき、他のＩＰ電話装置の端末情報をデータベースから検索する検索手段と、
前記登録手段による登録結果または前記検索手段により検索された端末情報を前記ＩＰ電話装置に送信する送信手段と、を具備し、
前記呼接続制御装置は、
ＩＰ電話装置の識別情報とＩＰアドレスとを対応付けて記憶する記憶手段と、
前記ＩＰ電話装置から他のＩＰ電話装置のＩＰアドレスの問い合わせを受信する受信手段と、
前記ＩＰアドレスの問い合わせを受信したとき、前記記憶手段からＩＰアドレスを検索し前記ＩＰ電話装置に送信する送信手段と、を具備することを特徴とするＩＰ電話システム。
【発明の詳細な説明】
【技術分野】
【０００１】
本発明は、ＩＰ電話装置、ＥＮＵＭサーバ及びＩＰ電話システムに関し、ＥＮＵＭサーバにＮＡＰＴＲレコードを登録するＩＰ電話装置、ＥＮＵＭサーバ及びＩＰ電話システムに関する。
【背景技術】
【０００２】
近年、インターネットの急速な普及に伴い、遠隔地の電話装置と低料金での通話や登録会員同士のＩＰ電話装置間で無料通話が可能なＩＰ電話システムが注目されている。また、インターネットを利用したサービスやインターネット上のリソースと電話番号を結びつけるプロトコルとして、ＩＥＴＦ(Internet Engineering Task Force )やＩＴＵ−Ｔ（International Telecommunication Union-Telecommunication Standardization Sector）などで検討が進められているＲＦＣ２９１６（非特許文献１）で規定される「ＥＮＵＭ（Telephone Number Mapping）」プロトコルがある。
【０００３】
この「ＥＮＵＭ」プロトコルは、ＩＴＵ−Ｔで定められたＥ．１６４の体系に合うよう変換された電話番号を元に、ＤＮＳ（Domain Name System）の仕組みを利用してそれをＩＰアドレス、もしくはＵＲＩ(Uniform Resource Identifier )を検索できるようにするものである。
【０００４】
この「ＥＮＵＭ」プロトコルを利用してサービスを提供するＥＮＵＭシステムも検討されている。ＥＮＵＭシステムを利用するＩＰ電話装置等のＩＰ端末装置のエンドユーザは、自装置で利用する機能（ＵＲＩ、ＵＲＩを用いておこなうサービス（電話、電子メール、データベースアクセス等））を選択可能である。そして、エンドユーザは、選択した機能を「ＮＡＰＴＲ（The Naming Authority Pointer）」リソースレコードに設定して、ＥＮＵＭシステムに登録する必要がある。
【非特許文献１】ＥＮＵＭトライアルジャパン発行「ＥＮＵＭトライアルジャパン第一次報告書」、２００４年５月
【発明の開示】
【発明が解決しようとする課題】
【０００５】
しかしながら、上記従来の「ＥＮＵＭ」プロトコルを利用するＩＰ電話装置等のＩＰ端末装置のエンドユーザでは、選択した機能を「ＮＡＰＴＲ」リソースレコードに設定してＥＮＵＭシステムに登録する必要があり、この登録作業はエンドユーザ側の設定に任されていたため、登録作業が繁雑であるという問題があった。
【０００６】
本発明はかかる点に鑑みてなされたものであり、ＩＰ電話装置のＮＡＰＴＲレコード情報をＩＰ電話装置に保存しておき、ＩＰ電話装置の起動時、あるいは所定の操作によりＩＰ電話装置からＥＮＵＭサーバに対してＮＡＰＴＲレコードの登録処理を自動的に実行するＩＰ電話装置、ＥＮＵＭサーバ及びＩＰ電話システムを提供することを目的とする。
【課題を解決するための手段】
【０００７】
本発明は、ＥＮＵＭサーバとＩＰネットワークを介して接続されるＩＰ電話装置であって、当該ＩＰ電話装置を設置後の起動時、または所定キーの押下により、前記ＥＮＵＭサーバに対して自装置の端末の登録要求を送信する送信手段を具備するようにしたものである。
【発明の効果】
【０００８】
本発明に係るＩＰ電話装置、ＥＮＵＭサーバ及びＩＰ電話システムによれば、ＩＰ電話装置のユーザがＥＮＵＭサーバにＮＡＰＴＲレコードを登録する手間を省略することができる。
【発明を実施するための最良の形態】
【０００９】
本発明の第１の態様に係るＩＰ電話装置は、ＥＮＵＭサーバとＩＰネットワークを介して接続されるＩＰ電話装置であって、前記ＥＮＵＭサーバに対して自装置の端末の登録要求を送信する送信手段を具備する構成を採る。
【００１０】
この構成によれば、ＩＰ電話装置のユーザがＥＮＵＭサーバにＮＡＰＴＲレコードを登録する手間を省略することができる。
【００１１】
本発明の第２の態様は、第１の態様に係るＩＰ電話装置において、前記送信手段は、前記ＩＰ電話装置を設置後の起動時に前記登録要求を送信する構成を採る。
【００１２】
この構成によれば、ＩＰ電話装置の起動時に確実にＥＮＵＭサーバにＮＡＰＴＲレコードを登録することができる。
【００１３】
本発明の第３の態様は、第１の態様に係るＩＰ電話装置において、前記ＩＰ電話装置はユーザが在宅であることを示すために押下する在宅キーを備え、前記送信手段は前記在宅キーが押下されたときに前記登録要求を送信する構成を採る。
【００１４】
この構成によれば、ＩＰ電話装置のユーザにとって都合の良い時にいつでもＥＮＵＭサーバにＮＡＰＴＲレコードを登録することができる。
【００１５】
本発明の第４の態様は、第１の態様に係るＩＰ電話装置において、前記ＩＰネットワークを介してＩＰ電話装置の呼接続を制御する呼接続制御装置と接続され、ユーザが在宅していることを通知する通知先のＩＰ電話装置の電話番号を記憶する記憶手段と、前記記憶手段に記憶される通知先のＩＰ電話装置の端末情報を前記ＥＮＵＭサーバから取得し、該端末情報により前記呼接続制御装置から前記通知先のＩＰアドレスを取得する取得手段と、を具備し、前記送信手段は、前記ＩＰアドレスを取得した通知先にユーザが在宅していることを示す在宅通知情報を送信する構成を採る。
【００１６】
この構成によれば、ＩＰ電話装置のユーザが予め設定した通知先に自己の在宅を自動的に通知することができる。
【００１７】
本発明の第５の態様に係るＩＰ電話装置は、ＥＮＵＭサーバとＩＰ電話装置の呼接続を制御する呼接続制御装置とにＩＰネットワークを介して接続されるＩＰ電話装置であって、前記ＩＰ電話装置はユーザが在宅であることを示すために押下する在宅キーを備え、前記在宅キーが押下されたときに前記ＥＮＵＭサーバに対して自装置の端末の登録要求を送信する送信手段と、ユーザが在宅していることを通知する通知先のＩＰ電話装置の電話番号を記憶する記憶手段と、前記記憶手段に記憶される通知先のＩＰ電話装置の端末情報を前記ＥＮＵＭサーバから取得し、該端末情報により前記呼接続制御装置から前記通知先のＩＰアドレスを取得する取得手段と、を具備し、前記送信手段は、前記ＩＰアドレスを取得した通知先にユーザが在宅していることを示す在宅通知情報を送信する構成を採る。
【００１８】
この構成によれば、電話機の在宅キーを押下するだけで、所定の通知先にユーザの在宅を通知することができる。
【００１９】
本発明の第６の態様は、第１又は第４又は第５の態様に係るＩＰ電話装置において、他のＩＰ電話装置から在宅通知を受信する受信手段と、前記受信手段により在宅通知を受信したとき、前記他のＩＰ電話装置の在宅を表示する表示手段と、を具備する構成を採る。
【００２０】
この構成によれば、他のＩＰ電話装置のユーザが在宅していることを電話機を見るだけで簡単に確認することができるので、相手の在宅を確認したうえで電話発信を行うことができる。
【００２１】
本発明の第７の態様に係るＥＮＵＭサーバは、ＩＰ電話装置とＩＰネットワークを介して接続されるＥＮＵＭサーバであって、ＩＰ電話装置の端末情報を記憶する記憶手段と、前記ＩＰ電話装置から端末情報を登録するための登録要求を受信する受信手段と、前記受信手段により登録要求を受信したとき、前記ＩＰ電話装置の端末情報を前記記憶手段に登録する登録手段と、前記登録手段による登録結果を前記ＩＰ電話装置に送信する送信手段と、を具備する構成を採る。
【００２２】
この構成によれば、ＩＰ電話装置のユーザがＥＮＵＭサーバにＮＡＰＴＲレコードを登録する手間を省略することができる。
【００２３】
本発明の第８の態様に係るＩＰ電話システムは、ＩＰネットワークに接続されたＩＰ電話装置と、ＩＰ電話装置の情報を登録するデータベースを具備するＥＮＵＭサーバと、を具備するＩＰ電話システムであって、前記ＩＰ電話装置は、前記ＥＮＵＭサーバに対して自装置の端末の登録要求を送信する送信手段を具備し、前記ＥＮＵＭサーバは、前記ＩＰ電話装置から送信される登録要求を受信する受信手段と、前記登録要求を受信したとき、前記ＩＰ電話装置の端末情報を前記データベースに登録する登録手段と、前記登録手段による登録結果を前記ＩＰ電話装置に送信する送信手段と、を具備する構成を採る。
【００２４】
この構成によれば、ＩＰ電話装置のユーザがＥＮＵＭサーバにＮＡＰＴＲレコードを登録する手間を省略することができ、ＩＰ電話装置のユーザにとって使い勝手の良いＩＰ電話システムを提供することができる。
【００２５】
本発明の第９の態様に係るＩＰ電話システムは、ＩＰネットワークに接続されたＩＰ電話装置と、ＩＰ電話装置の情報を登録するデータベースを具備するＥＮＵＭサーバと、ＩＰ電話装置の呼接続を制御する呼接続制御装置とを具備するＩＰ電話システムであって、前記ＩＰ電話装置は、ユーザが在宅であることを示すために押下する在宅キーを備え、前記在宅キーが押下されたときに前記ＥＮＵＭサーバに対して自装置の端末の登録要求を送信する送信手段と、ユーザが在宅していることを通知する通知先のＩＰ電話装置の電話番号を記憶する記憶手段と、前記記憶手段に記憶される通知先のＩＰ電話装置の端末情報を前記ＥＮＵＭサーバから取得し、該端末情報により前記呼接続制御装置から前記通知先のＩＰアドレスを取得する取得手段と、を具備し、前記送信手段は、前記ＩＰアドレスを取得した通知先にユーザが在宅していることを示す在宅通知情報を送信し、前記ＥＮＵＭサーバは、前記ＩＰ電話装置から送信される登録要求または他のＩＰ電話装置の端末情報の問い合わせを受信する受信手段と、前記登録要求を受信したとき、前記ＩＰ電話装置の端末情報を前記データベースに登録する登録手段と、前記問い合わせを受信したとき、他のＩＰ電話装置の端末情報をデータベースから検索する検索手段と、前記登録手段による登録結果または前記検索手段により検索された端末情報を前記ＩＰ電話装置に送信する送信手段とを具備し、前記呼接続制御装置は、ＩＰ電話装置の識別情報とＩＰアドレスとを対応付けて記憶する記憶手段と、前記ＩＰ電話装置から他のＩＰ電話装置のＩＰアドレスの問い合わせを受信する受信手段と、前記ＩＰアドレスの問い合わせを受信したとき、前記記憶手段からＩＰアドレスを検索し前記ＩＰ電話装置に送信する送信手段と、を具備する構成を採る。
【００２６】
この構成によれば、電話機の在宅キーを押下するだけで、ＩＰ電話装置のＮＡＰＴＲレコードをＥＮＵＭサーバに登録することができるとともに、所定の通知先にユーザの在宅を通知することができ、ＩＰ電話装置のユーザにとって使い勝手の良いＩＰ電話システムを提供することができる。
【００２７】
以下、本発明の実施の形態について図面を参照して詳細に説明する。
【００２８】
（実施の形態１）
図１は、本実施の形態１のＩＰ電話システムの全体構成を示す図である。図１において、ＩＰ電話システム１００は、複数台のＩＰ電話装置（以下、ＩＰ電話という）１０１、１０２、ＥＮＵＭサーバ１０３、ＤＮＳサーバ１０４、コールエージェント（以下、ＣＡという）１０６がＩＰネットワーク１０５を介して相互に接続されている。なお、同図の構成に限らず３台以上のＩＰ電話を接続してＩＰ電話システムを構成してもよい。
【００２９】
ＩＰ電話１０１（１０２）は、ＩＰネットワーク１０５を介して他のＩＰ電話との間で音声通話が可能な機能を有している。
【００３０】
ＥＮＵＭ（Telephone Number Mapping）サーバ１０３は、ＮＡＰＴＲ（The Naming Authority Pointer）リソースレコード（以下、ＮＡＰＴＲレコードという）を登録するデータベースを備える。ＥＮＵＭサーバ１０３は、ＩＰ電話１０１（１０２）の問い合わせに応じて、データベースに登録されたＮＡＰＴＲレコードをＩＰ電話１０１（１０２）に返送する。
【００３１】
ＤＮＳ（Domain Name System）サーバ１０４は、ＮＡＰＴＲレコードに指定されるＵＲＩ（Uniform Resource Identifier）とＩＰアドレスとが対応付けて登録されるデータベースを備える。ＤＮＳサーバ１０４は、ＩＰ電話１０１（１０２）の問い合わせに応じて、データベースに登録されたＩＰアドレスをＩＰ電話１０１（１０２）に返送する。
【００３２】
ＣＡ１０６は、ＩＰネットワーク１０５に接続されたＩＰ電話１０１（１０２）間の呼接続を制御する。ＣＡ１０６は、着信を受けたＩＰ電話１０１（１０２）からの呼接続要求に応じて、着呼先のＩＰ電話１０１（１０２）との間で呼接続制御を実行する。
【００３３】
図２は、本実施の形態のＩＰ電話１０１の構成を示すブロック図である。なお、ＩＰ電話１０２もＩＰ電話１０１と同様の構成を有する。
【００３４】
図２において、ＩＰ電話１０１は、ＣＰＵ２０１、メモリ２０２、ハンドセット２０３、表示装置２０４及びネットワーク・インターフェース（以下、ネットワークＩ／Ｆという）２０５により主に構成されている。
【００３５】
ＣＰＵ（Central Processing Unit ）２０１は、メモリ２０２に記憶された音声通話制御プログラムに基づいてＩＰネットワーク１０５を介して他のＩＰ電話１０２と音声通話を行う際に必要となる全ての動作を制御する。従って、ＣＰＵ２０１は、ＳＩＰ（Session Initiation Protocol ）やＨ．３２３に代表される呼制御プロトコルに従って、宛先端末との間の呼制御を実行する。また、ＣＰＵ２０１は、表示装置２０４やネットワークＩ／Ｆ２０５に必要な指示を与える。
【００３６】
また、ＣＰＵ２０１は、ＥＮＵＭサーバ１０３へ宛先端末に対応するＮＡＰＴＲレコードを問い合わせる「ＮＡＰＴＲ問い合わせ」の送出や、その「ＮＡＰＴＲ問い合わせ」に対する応答「ＮＡＰＴＲＳＩＰサービス応答」の受信の制御を行う。また、ＣＰＵ２０１は、ＩＰ電話１０１がＩＰネットワーク１０５に接続され設置された後の電源オン時またはＩＰ電話に設けられた在宅キーを押下した時に、予めメモリ２０２に記憶した自装置の端末の登録要求を、ネットワークＩ／Ｆ２０５からＥＮＵＭサーバ１０３に自動的に送出する処理、その登録要求に対する応答「登録完了応答」を受信する処理を制御する。
【００３７】
なお、ＩＰ電話１０１に設けられる「在宅キー」とは、ユーザが外出あるいは離席などから戻って来て電話に応対できる状態になった場合に押下しておくキーである。後述するように、「在宅キー」を押下しておくことにより特定のＩＰ電話端末に、ＩＰ電話１０１のユーザが在宅あるいは在席していることを明示することができる。また、この「在宅キー」は、従来からある留守番電話機能を備えた「留守番電話キー」と併用されるものであってもよい。その場合は、留守録モードを備えた留守番電話機能が解除されたときに「在宅キー」が押下された場合と同様の処理を行うものとする。
【００３８】
ＩＰ電話１０１からＩＰ電話１０２にダイヤルを行うと、ＣＰＵ２０１は、「ＩＰ電話１０２のＮＡＰＴＲ問い合わせ」をＥＮＵＭサーバ１０３に送出し、その「ＩＰ電話１０２のＮＡＰＴＲ問い合わせ」に対する応答「ＩＰ電話１０２のＮＡＰＴＲ  ＳＩＰサービス応答」からＩＰ電話１０２のＮＡＰＴＲレコードを取得する処理、そのＮＡＰＴＲレコードに基づいて、「ＩＰ電話１０２のＩＰアドレス問い合わせ」をＤＮＳサーバ１０４に送出し、その「ＩＰ電話１０２のＩＰアドレス問い合わせ」に対する「ＩＰ電話１０２のＩＰアドレス応答」からＩＰ電話１０２のＩＰアドレスを取得する処理を制御する。
【００３９】
また、ＣＰＵ２０１は、「ＩＰ電話１０１の在宅通知」を先に取得したＩＰアドレスによりＩＰ電話１０２に送出する処理、その「ＩＰ電話１０１の在宅通知」に対する応答をＩＰ電話１０２から受信する処理を制御する。また、ＣＰＵ２０１は、「ＩＰ電話１０２の在宅通知」をＩＰ電話１０２から受信する処理と、その「ＩＰ電話１０２の在宅通知」に基づいて、後述する在宅表示ランプ３０５を点灯する処理を制御する。なお、ＣＰＵ２０１は、登録要求手段及び取得手段として機能する。
【００４０】
なお、ＩＰ電話１０１の「在宅通知」とは、ＩＰ電話１０１の在宅キーが押下された場合に、ＩＰ電話１０１のメモリに予め登録してある特定のＩＰ電話端末（例えばＩＰ電話１０２）に対し、在宅通知メッセージを送出する機能のことである。ＩＰ電話１０１の在宅通知メッセージを受信したＩＰ電話１０２は、電話機に設けられた在宅表示ランプ３０５を点灯する。
【００４１】
メモリ２０２は、ＣＰＵ２０１が実行する音声通話制御プログラム等を記憶するＲＯＭ（Read Only Memory）としての機能と、ＣＰＵ２０１がプログラムを実行する際のワークメモリとして利用されるＲＡＭ（Random Access Memory）としての機能を有する。また、メモリ２０２は、ＩＰ電話１０１の端末情報（ＮＡＰＴＲレコード）を記憶する領域と、ＩＰ電話１０１のユーザの在宅を通知する通知先の電話番号を記憶する領域と、ＤＮＳサーバ１０４から取得されたＩＰ電話１０２のＩＰアドレスを記憶する領域とを有する。なお、メモリ２０２は、記憶手段として機能する。
【００４２】
ハンドセット２０３は、ユーザによるオフフック操作又はオンフック操作に応じてオフフック信号又はオンフック信号をＣＰＵ２０１に出力する。また、ハンドセット２０３は、マイクとスピーカを備え、宛先端末との間の通話開始時にユーザの送話音声をマイクにより送話音声信号に変換してＣＰＵ２０１に出力するとともに、ＣＰＵ２０１から入力される受話音声信号をスピーカにより受話音声として出力する。
【００４３】
表示装置２０４は、液晶パネル等により構成され、ＩＰ電話１０１の現在のステータスを表示するとともに、ＣＰＵ２０１から入力された発信側ＩＰ電話の氏名、住所、電話番号等を表示する。
【００４４】
ネットワークＩ／Ｆ２０５は、ＩＰ電話１０１が接続されるＩＰネットワーク１０５とのインターフェースであり、上記ＣＰＵ２０１の制御により、登録要求及び登録完了応答のＥＮＵＭサーバ１０３との送受信処理、在宅通知及び在宅通知応答のＩＰ電話１０２との送受信処理等を実行する。なお、ネットワークＩ／Ｆ２０５は、送信手段及び受信手段として機能する。
【００４５】
図３は、本実施の形態のＩＰ電話１０１の外観を示す正面図である。なお、ＩＰ電話１０２についても同様の構成を有する。
【００４６】
図３において、ＩＰ電話１０１は、ユーザの音声を受けるマイクと、受話音声を出音するスピーカとを有するハンドセット２０３と、電話番号等を受け付けるテンキー３０２と、留守番電話機能を切り替える留守キー３０３と、音声を外部出力に切り替えるスピーカキー３０４と、他のＩＰ電話を利用するユーザの在宅を表示する在宅表示ランプ３０５とを備えている。さらに、側面部にＩＰネットワーク１０５に接続されるＬＡＮインターフェース（ＬＡＮＩ／Ｆ）３０６と、公衆回線網に接続される公衆回線インターフェース（公衆回線Ｉ／Ｆ）３０７と、前述したように在宅を指示する在宅キー３０８とを備えている。なお、在宅キー３０８は、指示手段として機能する。
【００４７】
在宅表示ランプ３０５の上側に、液晶パネル等で構成される表示装置２０４が設けられている。表示装置２０４は、ＥＮＵＭサーバ１０３から受信したメールアドレス、ホームページＵＲＬや発信者番号が表示される。また、在宅表示ランプ３０５は、４人分のＩＰ電話ユーザの在宅を表示可能であり、図中では、知人Ａ、知人Ｂ、知人Ｄ及び知人Ｅの各在宅ランプが表示可能である場合を示している。なお、在宅表示ランプ３０５は、表示手段として機能する。
【００４８】
図４は、本実施の形態のＥＮＵＭサーバ１０３の構成を示すブロック図である。図４において、ＣＰＵ４０１、メモリ４０２、データベース４０３、入出力装置４０４及びネットワークＩ／Ｆ４０５により主に構成される。
【００４９】
ＣＰＵ４０１は、メモリ４０２に記憶された制御プログラムに基づいてＥＮＵＭサーバ１０３全体を制御する。また、ＣＰＵ４０１は、例えば、ＩＰ電話１０１から端末の登録要求を受け付けると、例えば「Ｎｓｕｐｄａｔｅ」のようなアプリケーションソフトを起動して、後述するデータベース４０３にＩＰ電話１０１のＮＡＰＴＲレコードを登録する処理と、登録完了応答をネットワークＩ／Ｆ４０５からＩＰ電話１０１に返送する処理を制御する。なお、ＣＰＵ４０１は、登録手段として機能する。
【００５０】
メモリ４０２は、ＣＰＵ４０１が実行する制御プログラム等を記憶するＲＯＭとしての機能と、ＣＰＵ４０１がプログラムを実行する際のワークメモリとして利用されるＲＡＭとしての機能を有する。
【００５１】
データベース４０３は、ＩＰ電話１０１，１０２のＮＡＰＴＲレコードを登録するデータベースである。入出力装置４０４は、ＥＮＵＭサーバ１０３をメンテナンスする際に使用するキーボード等の入力デバイスと、メンテナンス情報を表示する表示装置等の出力デバイスとから構成される。なお、データベース４０３は、記憶手段として機能する。
【００５２】
ネットワークＩ／Ｆ４０５は、ＥＮＵＭサーバ１０３が接続されるＩＰネットワーク１０５とのインターフェースであり、ＣＰＵ４０１の制御により、ＩＰ電話１０１，１０２から登録要求を受信する受信処理、登録完了のＩＰ電話１０１，１０２への送出処理を実行する。なお、ネットワークＩ／Ｆ４０５は、受信手段及び送信手段として機能する。
【００５３】
次に、図１のＩＰ電話システム１００において、ＩＰ電話１０１，１０２がＥＮＵＭサーバ１０３に対してＮＡＰＴＲレコードの登録要求を行い、ＩＰ電話１０１が在宅通知をＩＰ電話１０２に送出し、続いて、ＩＰ電話１０１とＩＰ電話１０２が通話を行うまでの動作について、図５に示すシーケンス図を参照して説明する。
【００５４】
なお、図５の動作を説明する前提として、ＩＰ電話１０１，１０２の各メモリ２０２には、それぞれ自装置の端末情報であるＮＡＰＴＲレコード情報と、在宅通知を送信すべきＩＰ電話端末の電話番号が保存されており、ＤＮＳサーバ１０４には、ＩＰ電話１０１，１０２の各ＩＰアドレスが登録されているものとする。
【００５５】
ＩＰ電話１０１がＩＰネットワーク１０５への接続等の設置処理が完了し、電源がオンされると、その電源オン後にまたはＩＰ電話に設けられた在宅キー３０８が押下されると、その押下後に、ＩＰ電話１０１内のＣＰＵ２０１は、自装置の情報をＥＮＵＭサーバ１０３のデータベースに登録するために、メモリ２０２から自装置のＮＡＰＴＲレコードを読み出し、このＮＡＰＴＲレコードを含む「ＩＰ電話１０１登録要求」メッセージをＥＮＵＭサーバ１０３に送出する（ステップＳ５０１）。
【００５６】
本実施の形態では、この「ＩＰ電話１０１登録要求」メッセージの送出により、ＥＮＵＭサーバ１０３に対しＩＰ電話１０１のＮＡＰＴＲレコードの登録を行う。
【００５７】
次に、ＥＮＵＭサーバ１０３は、ＩＰ電話１０１から「ＩＰ電話１０１登録要求」メッセージを受け付けると、例えば「Ｎｓｕｐｄａｔｅ」のようなアプリケーションソフトを起動し、その「ＩＰ電話１０１登録要求」メッセージに含まれるＮＡＰＴＲレコードをデータベース４０３に登録する。そして、ＥＮＵＭサーバ１０３は、「ＩＰ電話１０１登録完了」メッセージをＩＰ電話１０１に返送する（ステップＳ５０２）。
【００５８】
次に、ＩＰ電話１０２がＩＰネットワーク１０５への接続等の設置処理が完了し、電源がオンされると、その電源オン後またはＩＰ電話に設けられた在宅キー３０８が押下されると、その押下後に、ＩＰ電話１０２内のＣＰＵ２０１は、自装置の情報をＥＮＵＭサーバ１０３のデータベースに登録するために、メモリ２０２から自装置のＮＡＰＴＲレコードを読み出し、このＮＡＰＴＲレコードを含む「ＩＰ電話１０２登録要求」メッセージをＥＮＵＭサーバ１０３に送出する（ステップＳ５０３）。
【００５９】
次に、ＥＮＵＭサーバ１０３は、ＩＰ電話１０１から「ＩＰ電話１０２登録要求」メッセージを受け付けると、例えば「Ｎｓｕｐｄａｔｅ」のようなアプリケーションソフトを起動し、その「ＩＰ電話１０２登録要求」メッセージに含まれるＮＡＰＴＲレコードをデータベース４０３に登録する。そして、ＥＮＵＭサーバ１０３は、「ＩＰ電話１０２登録完了」メッセージをＩＰ電話１０２に返送する（ステップＳ５０４）。
【００６０】
以上のステップＳ５０１からステップＳ５０４の処理により、ＩＰ電話１０１，１０２の各ＮＡＰＴＲレコードのＥＮＵＭサーバ１０３への登録処理が終了する。ＥＮＵＭサーバ１０３のデータベース４０３に登録したＩＰ電話１０１，１０２の各ＮＡＰＴＲレコードの具体例を図１１に示す。同図において、上段の３行がＩＰ電話１０１の電話番号「０３１０００００００」から得られるドメイン名に対応するＮＡＰＴＲレコード、下段３行がＩＰ電話１０２の電話番号「０３１００００００１」から得られるドメイン名に対応するＮＡＰＴＲレコードが登録された場合を示している。
【００６１】
同図において、ＩＰ電話１０１の電話番号「３１０００００００」から得られるドメイン名「０．０．０．０．０．０．０．１．３．１．８．ｅ１６４．ａｒｐａ」に対して、ＵＲＩスキーム「ｓｉｐ：８１３１０００００００．ｔｏｋｙｏ．ｓｉｐ．ｊｐ」、同ＳｅｒｖｉｃｅフィールドとしてＩＰ電話に対応可能であることを示す「Ｅ２Ｕ＋ｓｉｐ」が登録されている。なお、電話番号「３１０００００００」は、最初に国番号付きの「８１３１０００００００」に変換されてから数字間にドットが挿入されて「８．１．３．１．０．０．０．０．０．０．０」となり、次に、数字を逆順にして最後に文字列「．ｅ１６４．ａｒｐａ」が追加されてドメイン名「０．０．０．０．０．０．０．１．３．１．８．ｅ１６４．ａｒｐａ」と変換される。
【００６２】
さらに、ＩＰ電話１０１のメールアドレス「８１３１０００００００＠ｔｏｋｙｏ．ｍａｉｌ．ｃｏｍ」として、ＵＲＩスキーム「ｍａｉｌｔｏ：８１３１０００００００＠ｔｏｋｙｏ．ｍａｉｌ．ｃｏｍ」、同Ｓｅｒｖｉｃｅフィールドとしてメールに対応可能であることを示す「Ｅ２Ｕ＋ｍｅｓｓａｇｅ：ｍａｉｌｔｏ」が登録されている。さらに、ＩＰ電話１０１の参照ＵＲＬ「ｗｗｗ．ｔｏｋｙｏ．ｓｉｐ．ｃｏｍ／ｕｓｅｒ８１３１０００００００．ｈｔｍｌ」として、ＵＲＩスキーム「ｈｔｔｐ：／／ｗｗｗ．ｔｏｋｙｏ．ｓｉｐ．ｃｏｍ／ｕｓｅｒ８１３１０００００００．ｈｔｍｌ」、同ＳｅｒｖｉｃｅフィールドとしてＨＴＭＬに対応可能であることを示す「Ｅ２Ｕ＋ｈｔｔｐ」が登録されている。
【００６３】
また、同図において、ＩＰ電話１０２の電話番号「３１００００００１」から得られるドメイン名「１．０．０．０．０．０．０．１．３．１．８．ｅ１６４．ａｒｐａ」に対して、ＵＲＩスキーム「ｓｉｐ：８１３１００００００１．ｔｏｋｙｏ．ｓｉｐ．ｊｐ」、同Ｓｅｒｖｉｃｅフィールド「Ｅ２Ｕ＋ｓｉｐ」、ＵＲＩスキーム「ｍａｉｌｔｏ：８１３１００００００１＠ｔｏｋｙｏ．ｍａｉｌ．ｃｏｍ」、同Ｓｅｒｖｉｃｅフィールド「Ｅ２Ｕ＋ｍｅｓｓａｇｅ：ｍａｉｌｔｏ」、及びＵＲＩスキーム「ｈｔｔｐ：／／ｗｗｗ．ｔｏｋｙｏ．ｓｉｐ．ｃｏｍ／ｕｓｅｒ８１３１００００００１．ｈｔｍｌ」、同Ｓｅｒｖｉｃｅフィールド「Ｅ２Ｕ＋ｈｔｔｐ」が登録されている。
【００６４】
また、同Ｓeｒｖｉｃｅフィールド「Ｅ２Ｕ＋ｓｉｐ」、同Ｓｅｒｖｉｃｅフィールド「Ｅ２Ｕ＋ｍｅｓｓａｇｅ：ｍａｉｌｔｏ」、同Ｓｅｒｖｉｃｅフィールド「Ｅ２Ｕ＋ｈｔｔｐ」には、それぞれＯｒｄｅｒ＝１００が記述されている。Ｏｒｄｅｒ値はＳeｒｖｉｃｅの優先度を示す。
【００６５】
次に、ＩＰ電話１０１は、ＥＮＵＭサーバ１０３へのＩＰ電話１０１の登録が完了すると、在宅通知を送信すべき相手として事前にユーザが設定した特定の電話番号（この場合、ＩＰ電話１０２の電話番号）をメモリ２０２から読み出して、ＩＰ電話１０２に在宅通知を行うため、「ＩＰ電話１０２のＮＡＰＴＲ問い合わせ」メッセージをＥＮＵＭサーバ１０３に送出する（ステップＳ５０５）。ＥＮＵＭサーバ１０３は、ＩＰ電話１０１から「ＩＰ電話１０２のＮＡＰＴＲ問い合わせ」メッセージを受け付けると、データベース４０３からＩＰ電話１０２のＮＡＰＴＲレコードを読み出し、このＮＡＰＴＲレコードを含む「ＩＰ電話１０２のＮＡＰＴＲ  ＳＩＰサービス応答」メッセージをＩＰ電話１０１に返送する（ステップＳ５０６）。このとき、ＩＰ電話１０１は、ＥＮＵＭサーバ１０３から取得したＩＰ電話１０２のＮＡＰＴＲレコードをメモリ２０２に記憶する。
【００６６】
次に、ＩＰ電話１０１は、ＥＮＵＭサーバ１０３から「ＩＰ電話１０２のＮＡＰＴＲ  ＳＩＰサービス応答」メッセージを受け付けると、その「ＩＰ電話１０２のＮＡＰＴＲ  ＳＩＰサービス応答」メッセージに含まれるＮＡＰＴＲレコードからＵＲＩを取得する。そして、ＩＰ電話１０１は、そのＵＲＩに対するＩＰアドレスを取得するため、そのＵＲＩを含む「ＩＰ電話１０２のＩＰアドレス問い合わせ」メッセージをＤＮＳサーバ１０４に送出する（ステップＳ５０７）。
【００６７】
次に、ＤＮＳサーバ１０４は、ＩＰ電話１０１から「ＩＰ電話１０２のＩＰアドレス問い合わせ」メッセージを受け付けると、その「ＩＰ電話１０２のＩＰアドレス問い合わせ」メッセージに含まれるＵＲＩに対応するＩＰアドレスをデータベースから読み出し、そのＩＰアドレスを含む「ＩＰ電話１０２のＩＰアドレス応答」メッセージをＩＰ電話１０１に返送する（ステップＳ５０８）。
【００６８】
以上のステップＳ５０５からステップＳ５０８の処理により、ＩＰ電話１０１は、通知先のＩＰ電話１０２のＩＰアドレスを取得したことになる。取得したＩＰ電話１０２のＩＰアドレスは、ＩＰ電話１０２の電話番号とともにメモリ２０２に記憶される。
【００６９】
次に、ＩＰ電話１０１内のＣＰＵ２０１は、ＩＰ電話１０１のユーザの在宅を認識し、先に取得したＩＰアドレスのＩＰ電話１０２に対して「ＩＰ電話１０１在宅通知」メッセージを送出する（ステップＳ５０９）。ＩＰ電話１０２は、ＩＰ電話１０１から「ＩＰ電話１０１在宅通知」メッセージを受け付けると、ＩＰ電話１０１のユーザが在宅であることを認識し、該当する在宅表示ランプ３０５を点灯する。そして、ＩＰ電話１０２は、「ＩＰ電話１０１在宅応答」メッセージをＩＰ電話１０１に返送する（ステップＳ５１０）。
【００７０】
以上のステップＳ５０９，Ｓ５１０の処理により、ＩＰ電話１０２のユーザは、ＩＰ電話１０１のユーザが在宅であることを常に確認することができる。同様の処理を行うことにより、ＩＰ電話１０１のユーザもＩＰ電話１０２のユーザが在宅であることを在宅表示ランプ３０５により確認することができる。
【００７１】
次に、ＩＰ電話１０２のユーザが在宅であることを在宅表示ランプにより確認したＩＰ電話１０１のユーザが、ＩＰ電話１０２に電話をかける場合について説明する。ＩＰ電話１０１は、ユーザによりＩＰ電話１０２の電話番号「３１００００００１」がダイヤルされると、メモリ２０２からその電話番号「３１００００００１」に対応するＩＰアドレスを読み出して、電話番号を設定した「ＩＮＶＩＴＥ」メッセージを含む発呼をネットワークＩ／Ｆ２０５からＩＰ電話１０２に送出する（ステップＳ５１１）。ＩＰ電話１０２は、ＩＰ電話１０１から「ＩＮＶＩＴＥ」メッセージを受け付けると、「１８０ｒｉｎｇｉｎｇ」メッセージをＩＰ電話１０１に返送する（ステップＳ５１２）。
【００７２】
次に、ＩＰ電話１０１は、ＩＰ電話１０２から「１８０ｒｉｎｇｉｎｇ」メッセージを受け付けると、ハンドセット２０３のスピーカからリングバックトーンが発音して、着信先のＩＰ電話１０２を呼び出していることをユーザに知らせる。
【００７３】
次に、着信側のＩＰ電話１０２は、発信者のユーザ情報を電話機に表示するために、発信側のＩＰ電話１０１のＮＡＰＴＲレコードを問い合わせる「ＩＰ電話１０１ＮＡＰＴＲ問い合わせ」メッセージをＥＮＵＭサーバ１０３に送出する（ステップＳ５１３）。この際、ＩＰ電話１０２は、ステップＳ５１１の「ＩＮＶＩＴＥ」メッセージに含まれる発信者電話番号を用いることにより、「ＩＰ電話１０１ＮＡＰＴＲ問い合わせ」メッセージをＥＮＵＭサーバ１０３に送出することができる。ＥＮＵＭサーバ１０３は、ＩＰ電話１０２から「ＩＰ電話１０１ＮＡＰＴＲ問い合わせ」メッセージを受け付けると、データベース４０３に登録されたＩＰ電話１０１のＮＡＰＴＲレコードを抽出し、そのＮＡＰＴＲレコードを設定した「ＩＰ電話１０１ＮＡＰＴＲ応答」メッセージをＩＰ電話１０２に返送する（ステップＳ５１４）。
【００７４】
次に、ＩＰ電話１０２は、ＥＮＵＭサーバ１０３から「ＩＰ電話１０１ＮＡＰＴＲ応答」メッセージを受け付けると、その「ＩＰ電話１０１ＮＡＰＴＲ応答」メッセージに含まれるＮＡＰＴＲレコードに基づいて、ＩＰ電話１０１のユーザ情報を表示装置２０４に表示し、呼び出し音を鳴動させて着信をユーザに知らせる。ＩＰ電話１０２のユーザは、表示装置２０４に表示されたメールアドレス、ホームページのＵＲＬや電話番号により発信側ユーザを確認することができる。
【００７５】
次に、ＩＰ電話１０２は、ユーザによりハンドセット２０３がオフフックされると、ＩＰ電話１０１に対して接続許可を示す「２００ＯＫ」メッセージを送出する（ステップＳ５１５）。ＩＰ電話１０１は、ＩＰ電話１０２から「２００ＯＫ」メッセージを受け付けると、「ＡＣＫ」メッセージをＩＰ電話１０２に返送する（ステップＳ５１６）。ＩＰ電話１０２は、ＩＰ電話１０１から「ＡＣＫ」メッセージを受け付けると、ＩＰ電話１０１とＩＰ電話１０２との間で通話可能状態となる。
【００７６】
次に、図５のシーケンス図に示したＩＰ電話１０１、ＩＰ電話１０２、ＥＮＵＭサーバ１０３及びＤＮＳサーバ１０４の各動作について、図６及び図７に示すフローチャートを参照して説明する。
【００７７】
ＩＰ電話１０１がＩＰネットワーク１０５への接続等の設置処理が完了し、電源がオンされると、その電源オン後または在宅キーが押下されると、押下後に、ＩＰ電話１０１内のＣＰＵ２０１は、自装置の情報をＥＮＵＭサーバ１０３のデータベースに登録するため、「ＩＰ電話１０１登録要求」メッセージをＥＮＵＭサーバ１０３に送出する（ステップＳ６０１）。本実施の形態では、この「ＩＰ電話１０１登録要求」メッセージの送出により、ＥＮＵＭサーバ１０３に対しＩＰ電話１０１のＮＡＰＴＲレコードの登録を行う。
【００７８】
次に、ＥＮＵＭサーバ１０３は、ＩＰ電話１０１から「ＩＰ電話１０１登録要求」メッセージを受け付けると、例えば「Ｎｓｕｐｄａｔｅ」のようなアプリケーションソフトを起動し、その「ＩＰ電話１０１登録要求」メッセージに含まれるＮＡＰＴＲレコードをデータベース４０３に登録する。そして、ＥＮＵＭサーバ１０３は、「ＩＰ電話１０１登録完了」メッセージをＩＰ電話１０１に返送する（ステップＳ６０２）。
【００７９】
次に、ＩＰ電話１０１は、ＥＮＵＭサーバ１０３からの「ＩＰ電話１０１登録完了」メッセージの応答の有無を判別し（ステップＳ６０３）、ＥＮＵＭサーバ１０３から「ＩＰ電話１０１登録完了」メッセージを受け付けると（ステップＳ６０３：ＹＥＳ）、ＩＰ電話１０１のＮＡＰＴＲレコードの登録を完了する。
【００８０】
次に、ＩＰ電話１０２がＩＰネットワーク１０５への接続等の設置処理が完了し、電源がオンされると、その電源オン後または在宅キーが押下されると、押下後に、ＩＰ電話１０２内のＣＰＵ２０１は、自装置の情報をＥＮＵＭサーバ１０３のデータベースに登録するため、「ＩＰ電話１０２登録要求」メッセージをＥＮＵＭサーバ１０３に送出する（ステップＳ６０４）。本実施の形態では、この「ＩＰ電話１０２登録要求」メッセージの送出により、ＥＮＵＭサーバ１０３に対しＩＰ電話１０２のＮＡＰＴＲレコードの登録を行う。
【００８１】
次に、ＥＮＵＭサーバ１０３は、ＩＰ電話１０２から「ＩＰ電話１０２登録要求」メッセージを受け付けると、例えば「Ｎｓｕｐｄａｔｅ」のようなアプリケーションソフトを起動し、その「ＩＰ電話１０２登録要求」メッセージに含まれるＮＡＰＴＲレコードをデータベース４０３に登録する。そして、ＥＮＵＭサーバ１０３は、「ＩＰ電話１０２登録完了」メッセージをＩＰ電話１０２に返送する（ステップＳ６０５）。
【００８２】
次に、ＩＰ電話１０２は、ＥＮＵＭサーバ１０３からの「ＩＰ電話１０２登録完了」メッセージの応答の有無を判別し（ステップＳ６０６）、ＥＮＵＭサーバ１０３から「ＩＰ電話１０２登録完了」メッセージを受け付けると（ステップＳ６０６：ＹＥＳ）、ＩＰ電話１０２のＮＡＰＴＲレコードの登録を完了する。
【００８３】
また、ステップＳ６０３において、ＩＰ電話１０１は、ＥＮＵＭサーバ１０３からの「ＩＰ電話１０１登録完了」メッセージの応答がないと判別した場合（ステップＳ６０３：ＮＯ）は、ＥＮＵＭ登録失敗処理を実行する（ステップＳ６１０）。また、ＩＰ電話１０２は、ＥＮＵＭサーバ１０３からの「ＩＰ電話１０２登録完了」メッセージの応答がないと判別した場合（ステップＳ６０６：ＮＯ）は、ＥＮＵＭ登録失敗処理を実行する（ステップＳ６１０）。
【００８４】
次に、ＩＰ電話１０１は、在宅通知の通知先であるＩＰ電話１０２に在宅通知を行うために、「ＩＰ電話１０２のＮＡＰＴＲ問い合わせ」メッセージをＥＮＵＭサーバ１０３に送出する（ステップＳ６０７）。ＥＮＵＭサーバ１０３は、ＩＰ電話１０１から「ＩＰ電話１０２のＮＡＰＴＲ問い合わせ」メッセージを受け付けると（ステップＳ６０７：応答あり）、データベース４０３内のＩＰ電話１０２のＮＡＰＴＲレコードの登録有無を確認する（ステップＳ６０８）。データベース４０３内にＩＰ電話１０２のＮＡＰＴＲレコードが登録されている場合（ステップＳ６０８：登録あり）、ＥＮＵＭサーバ１０３は、データベース４０３からＩＰ電話１０２のＮＡＰＴＲレコードを読み出し、このＮＡＰＴＲレコードを含む「ＩＰ電話１０２のＮＡＰＴＲ  ＳＩＰサービス応答」メッセージをＩＰ電話１０１に返送する。このとき、ＩＰ電話１０１は、ＥＮＵＭサーバ１０３から取得したＩＰ電話１０２のＮＡＰＴＲレコードをメモリ２０２に記憶する。
【００８５】
次に、ＩＰ電話１０１は、ＥＮＵＭサーバ１０３から「ＩＰ電話１０２のＮＡＰＴＲ  ＳＩＰサービス応答」メッセージを受け付けると、その「ＩＰ電話１０２のＮＡＰＴＲ  ＳＩＰサービス応答」メッセージに含まれるＮＡＰＴＲレコード内のＳｅｒｖｉｃｅフィールド「Ｅ２Ｕ＋ｓｉｐ」設定の有無により、ＩＰ電話１０２のＳＩＰサービス登録の有無を確認する（ステップＳ６０８）。ＮＡＰＴＲレコード内にＳｅｒｖｉｃｅフィールド「Ｅ２Ｕ＋ｓｉｐ」が設定されている場合（ステップＳ６０８：登録あり）、ＩＰ電話１０１は、ＮＡＰＴＲレコードからＩＰ電話１０２のＵＲＩを取得する。
【００８６】
そして、ＩＰ電話１０１は、そのＵＲＩに対するＩＰアドレスを取得するため、そのＵＲＩを含む「ＩＰ電話１０２のＩＰアドレス問い合わせ」メッセージをＤＮＳサーバ１０４に送出して、ＤＮＳサーバ１０４からの応答の有無を確認する（ステップＳ６０９）。
【００８７】
ＩＰ電話１０１は、ＤＮＳサーバ１０４から「ＩＰ電話１０２のＩＰアドレス応答」メッセージを受け付けると（ステップＳ６０９：応答あり）、その「ＩＰ電話１０２のＩＰアドレス応答」メッセージに含まれるＩＰ電話１０２のＩＰアドレスを、ＩＰ電話１０２の電話番号と対応付けてメモリ２０２に記憶する。
【００８８】
また、ＩＰ電話１０１は、ＥＮＵＭサーバ１０３からの「ＩＰ電話１０２のＮＡＰＴＲ  ＳＩＰサービス応答」メッセージの応答がない場合（ステップＳ６０７：応答なし）、Ｓｅｒｖｉｃｅフィールド「Ｅ２Ｕ＋ｓｉｐ」が設定されていない場合（ステップＳ６０８：登録なし）、ＤＮＳサーバ１０４からの「ＩＰ電話１０２のＩＰアドレス応答」メッセージの応答がない場合（ステップＳ６０９：応答なし）、ＥＮＵＭクエリ失敗処理を実行する（ステップＳ６１１）。
【００８９】
次に、ＩＰ電話１０１は、先に取得したＩＰアドレスのＩＰ電話１０２に対して「ＩＰ電話１０１在宅通知」メッセージを送出する（ステップＳ６１２）。ＩＰ電話１０２は、ＩＰ電話１０１から「ＩＰ電話１０１在宅通知」メッセージを受け付けると、ＩＰ電話１０１のユーザが在宅であることを認識し、該当する在宅表示ランプ３０５を点灯する。そして、ＩＰ電話１０２は、「ＩＰ電話１０１在宅応答」メッセージをＩＰ電話１０１に返送する（ステップＳ６１３）。
【００９０】
以上のステップＳ６１２，Ｓ６１３の処理により、ＩＰ電話１０２のユーザは、ＩＰ電話１０１のユーザが在宅であることを確認することができる。
【００９１】
次に、ＩＰ電話１０１は、ユーザによりＩＰ電話１０２の電話番号「３１００００００１」がダイヤルされると、メモリ２０２からその電話番号「３１００００００１」に対応するＩＰアドレスを読み出して、電話番号を設定した「ＩＮＶＩＴＥ」メッセージを含む発呼をネットワークＩ／Ｆ２０５からＩＰ電話１０２に送出する（ステップＳ６１４）。ＩＰ電話１０２は、ＩＰ電話１０１から「ＩＮＶＩＴＥ」メッセージを受け付けると、「１８０ｒｉｎｇｉｎｇ」メッセージをＩＰ電話１０１に返送する（ステップＳ６１５）。
【００９２】
この時、ＩＰ電話１０１は、ＩＰ電話１０２から「１８０ｒｉｎｇｉｎｇ」メッセージを受け付けると、ハンドセット２０３のスピーカからリングバックトーンが発音して、着信先のＩＰ電話１０２を呼び出していることをユーザに知らせる。
【００９３】
次に、ＩＰ電話１０２は、発信側のＩＰ電話１０１のＮＡＰＴＲレコードを問い合わせる「ＩＰ電話１０１ＮＡＰＴＲ問い合わせ」メッセージをＥＮＵＭサーバ１０３に送出して、ＥＮＵＭサーバ１０３からの応答の有無を確認する（ステップＳ６１６）。ＥＮＵＭサーバ１０３は、ＩＰ電話１０２から「ＩＰ電話１０１ＮＡＰＴＲ問い合わせ」メッセージを受け付けると（ステップＳ６１６：応答あり）、データベース４０３に登録されたＩＰ電話１０１のＮＡＰＴＲレコードを抽出し、そのＮＡＰＴＲレコードを設定した「ＩＰ電話１０１ＮＡＰＴＲ応答」メッセージをＩＰ電話１０２に返送する。
【００９４】
ＩＰ電話１０２は、ＥＮＵＭサーバ１０３から「ＩＰ電話１０１ＮＡＰＴＲ応答」メッセージを受け付けると（ステップＳ６１６：応答あり）、その「ＩＰ電話１０１ＮＡＰＴＲ応答」メッセージに含まれるＮＡＰＴＲレコードの有無からＩＰ電話１０１の登録の有無を確認する（ステップＳ６１７）。ＮＡＰＴＲレコードが有る場合（ステップＳ６１７：登録あり）、ＩＰ電話１０２は、ＩＰ電話１０１のユーザ情報を表示装置２０４に表示し（ステップＳ６１８）、呼び出し音を鳴動させて着信をユーザに知らせる（ステップＳ６１９）。
【００９５】
次に、ＩＰ電話１０２のユーザは、表示装置２０４に表示された情報により発信側ユーザを確認して、その着信を応答するか拒否するかを判断する（ステップＳ６２０）。ＩＰ電話１０２のユーザは、その着信に応答するためハンドセット２０３をオフフックする（ステップＳ６２０：応答）。ＩＰ電話１０２内のＣＰＵ２０１は、オフフックを確認すると、ＩＰ電話１０１に対して接続許可を示す「２００ＯＫ」メッセージを送出する（ステップＳ６２１）。ＩＰ電話１０１は、ＩＰ電話１０２から「２００ＯＫ」メッセージを受け付けると、「ＡＣＫ」メッセージをＩＰ電話１０２に返送する（ステップＳ６２２）。ＩＰ電話１０２は、ＩＰ電話１０１から「ＡＣＫ」メッセージを受け付けると、ＩＰ電話１０１とＩＰ電話１０２との間で通話可能状態となる。
【００９６】
また、ＩＰ電話１０２は、ＥＮＵＭサーバ１０３からの「ＩＰ電話１０１ＮＡＰＴＲ問い合わせ」メッセージの応答がない場合（ステップＳ６１６：応答なし）、ＩＰ電話１０１のＮＡＰＴＲレコードの登録がない場合（ステップＳ６１７：登録なし）、又は、ユーザによるオフフック操作がなく着信が拒否された場合（ステップＳ６２０：拒否）、ＩＰ電話１０１に対して「４８６ＢＵＳＹ」メッセージを送出し（ステップＳ６２３）、通話失敗終了処理を実行する（ステップＳ６２４）。
【００９７】
以上のように、本実施の形態のＩＰ電話システム１００では、ＩＰ電話１０１，１０２がＥＮＵＭサーバ１０３に対してＮＡＰＴＲレコードを自動的に登録する機能を有するため、ＩＰ電話１０１，１０２のユーザは、ＥＮＵＭサーバ１０３にＮＡＰＴＲレコードを登録する手間を省略することができる。
【００９８】
また、ＩＰ電話１０１は、自装置のＥＮＵＭサーバ１０３への登録後に、在宅通知を行う通知先ＩＰ電話１０２のＮＡＰＴＲレコードのＥＮＵＭサーバ１０３への問い合わせ処理及びＩＰアドレスのＤＮＳサーバ１０４への問い合わせ処理を自動的に実行する機能を有する。なお、ＩＰ電話１０２も同様に、在宅通知を行う通知先ＩＰ電話１０１のＮＡＰＴＲレコードのＥＮＵＭサーバ１０３への問い合わせ処理及びＩＰアドレスのＤＮＳサーバ１０４への問い合わせ処理を自動的に実行する機能を有する。
【００９９】
また、ＩＰ電話１０１は、ＩＰアドレスを取得したＩＰ電話１０２に在宅通知を行う機能を有し、ＩＰ電話１０２は、ＩＰ電話１０１の在宅通知を受けて、該当する在宅表示ランプ３０５を点灯する機能を有する。このため、ＩＰ電話１０１のユーザは、予め通知先として記憶したＩＰ電話のユーザに対して、在宅通知を簡便に行うことができ、ＩＰ電話１０２のユーザは、ＩＰ電話１０１のユーザが在宅であることを容易に確認することができ、不在時の発信を回避することができる。
【０１００】
したがって、本発明をＩＰ電話システムに適用することにより、ＩＰ電話のユーザにとって使い勝手の良いＩＰ電話システムを提供することができる。
【０１０１】
なお、上記実施の形態１では、ＩＰ電話１０１，１０２が自装置の登録要求をＥＮＵＭサーバ１０３に対して行う際に、独自の「ＩＰ電話１０１（１０２）登録要求」メッセージをＥＮＵＭサーバ１０３に送出する場合を示したが、これに限るものではない。例えば、ＲＦＣ３４２７に規定された「Ｎｏｔｉｆｙ  Ｉｎｆｏ」メッセージを利用し、この「Ｎｏｔｉｆｙ  Ｉｎｆｏ」メッセージのＰヘッダにＩＰ電話１０１のＮＡＰＴＲレコードを設定してＥＮＵＭサーバ１０３に送信するようにしてもよい。
【０１０２】
また、上記実施の形態１では、ＩＰ電話１０１からＩＰ電話１０２に対して在宅通知を行う場合を示したが、ＩＰ電話１０２からＩＰ電話１０１に対して在宅通知を行うことも同様に可能である。
【０１０３】
（実施の形態２）
本実施の形態２では、ＩＰ電話１０１とＩＰ電話１０２間の通話をＣＡ１０６を介して行う場合を説明する。なお、本実施の形態２のシステム構成、ＩＰ電話１０１，１０２の構成及びＥＮＵＭサーバ１０３の構成は、実施の形態１で説明したものと同様であるため、その図示及び構成説明は省略する。
【０１０４】
図１のＩＰ電話システム１００において、ＩＰ電話１０１，１０２がＥＮＵＭサーバ１０３に対してＮＡＰＴＲレコードを登録要求し、ＩＰ電話１０１が在宅通知をＩＰ電話１０２に送出し、続いて、ＩＰ電話１０１とＩＰ電話１０２がＣＡ１０６を介して通話を行うまでの動作について、図８に示すシーケンス図を参照して説明する。
【０１０５】
なお、図８の動作を説明する前提として、ＩＰ電話１０１，１０２の各メモリ２０２には、それぞれ自装置の端末情報であるＮＡＰＴＲレコードと、在宅通知を送信すべきＩＰ電話端末の電話番号が登録されているものとする。
【０１０６】
図８のステップＳ８０１からステップＳ８０４に示すＩＰ電話１０１，１０２のＥＮＵＭサーバ１０３への登録動作は、図５に示したステップＳ５０１〜ステップＳ５０４の動作と同一であるため、その動作説明は省略する。また、図８のステップＳ８０５、ステップＳ８０６のＮＡＰＴＲ問い合わせ動作は、図５に示したステップＳ５０５、Ｓ５０６の動作と同一であるため、その動作説明は省略する。また、図８ではＤＮＳサーバを図示せず省略しているが、図５と同様にステップＳ８０６とステップＳ８０７との間において図５のステップＳ５０７、Ｓ５０８と同じＩＰアドレス問い合わせをＤＮＳサーバに対し行ってＩＰ電話１０２のＩＰアドレスを取得し、この取得したＩＰアドレスによりＩＰ電話１０２へ在宅通知メッセージの発信を行っている。従って、図８のステップＳ８０７、Ｓ８０８の在宅通知動作は、図５に示したステップＳ５０９〜ステップＳ５１０の動作と同一であるため、その動作説明は省略する。
【０１０７】
ＩＰ電話１０１は、ユーザによりＩＰ電話１０２の電話番号「３１００００００１」がダイヤルされると、メモリ２０２からその電話番号「３１００００００１」に対応するＩＰ電話１０２のＩＰアドレスを読み出して、電話番号を設定した「ＩＮＶＩＴＥ」メッセージを含む発呼をネットワークＩ／Ｆ２０５からＣＡ１０６に送出する（ステップＳ８０９）。ＣＡ１０６は、ＩＰ電話１０１から「ＩＮＶＩＴＥ」メッセージを含む発呼を受け付けると、この「ＩＮＶＩＴＥ」メッセージに含まれるＴｏヘッダから着信側であるＩＰ電話１０２の電話番号を抽出する。
【０１０８】
そして、ＣＡ１０６は、ＩＰ電話１０１から受信した「ＩＮＶＩＴＥ」メッセージを含む発呼を着信側であるＩＰ電話１０２に送出する（ステップＳ８１０）。ＩＰ電話１０２は、ＣＡ１０６から「ＩＮＶＩＴＥ」メッセージを含む発呼を受け付けると、呼び出し音を鳴動させて着信をユーザに知らせるとともに、「１８０ｒｉｎｇｉｎｇ」メッセージをＣＡ１０６に返送する（ステップＳ８１１）。ＣＡ１０６は、ＩＰ電話１０２から受信した「１８０ｒｉｎｇｉｎｇ」メッセージを発信側のＩＰ電話１０１に返送する（ステップＳ８１２）。
【０１０９】
次に、ＩＰ電話１０１は、ＣＡ１０６から「１８０ｒｉｎｇｉｎｇ」メッセージを受け付けると、ハンドセット２０３のスピーカからリングバックトーンが発音して、着信先のＩＰ電話１０２を呼び出していることをユーザに知らせる。
【０１１０】
次に、ＩＰ電話１０２は、発信者のユーザ情報を電話機に表示するために、発信側のＩＰ電話１０１のＮＡＰＴＲレコードを問い合わせる「ＩＰ電話１０１ＮＡＰＴＲ問い合わせ」メッセージをＥＮＵＭサーバ１０３に送出する（ステップＳ８１３）。ＥＮＵＭサーバ１０３は、ＩＰ電話１０２から「ＩＰ電話１０１ＮＡＰＴＲ問い合わせ」メッセージを受け付けると、データベース４０３に登録されたＩＰ電話１０１のＮＡＰＴＲレコードを抽出し、そのＮＡＰＴＲレコードを設定した「ＩＰ電話１０１ＮＡＰＴＲ応答」メッセージをＩＰ電話１０２に返送する（ステップＳ８１４）。
【０１１１】
次に、ＩＰ電話１０２は、ＥＮＵＭサーバ１０３から「ＩＰ電話１０１ＮＡＰＴＲ応答」メッセージを受け付けると、その「ＩＰ電話１０１ＮＡＰＴＲ応答」メッセージに含まれるＮＡＰＴＲレコードに基づいて、ＩＰ電話１０１のユーザ情報を表示装置２０４に表示し、呼び出し音を鳴動させて着信をユーザに知らせる。ＩＰ電話１０２のユーザは、表示装置２０４に表示された情報により発信側ユーザを確認したうえで電話に応答することができる。
【０１１２】
次に、着信先のＩＰ電話１０２において、ユーザによるハンドセット２０３のオフフックが検出されると、ＩＰ電話１０１に対して接続許可を示す「２００ＯＫ」メッセージを送出する（ステップＳ８１５）。ＩＰ電話１０１は、ＩＰ電話１０２から「２００ＯＫ」メッセージを受け付けると、「ＡＣＫ」メッセージをＩＰ電話１０２に返送する（ステップＳ８１６）。ＩＰ電話１０２は、ＩＰ電話１０１から「ＡＣＫ」メッセージを受け付けると、ＩＰ電話１０１とＩＰ電話１０２との間で通話可能状態となる。
【０１１３】
次に、図８のシーケンス図に示したＩＰ電話１０１、ＩＰ電話１０２、ＥＮＵＭサーバ１０３及びＤＮＳサーバ１０４の各動作について、図９及び図１０に示すフローチャートを参照して説明する。
【０１１４】
図９のステップＳ９０１〜ステップＳ９０６のＩＰ電話１０１，１０２のＥＮＵＭサーバ１０３への登録動作は、図６に示したステップＳ６０１〜ステップＳ６０６の動作と同一であるため、その動作説明は省略する。また、図９のステップＳ９０７〜ステップＳ９０８のＮＡＰＴＲ問い合わせ動作は、図６に示したステップＳ６０７、Ｓ６０８の動作と同一であるため、その動作説明は省略する。また、図９ではＤＮＳサーバへのＩＰアドレスの問い合わせを図示せず省略しているが、ステップＳ９０８とステップＳ９０９との間において、図６のＳ６０９と同じＩＰアドレス問い合わせをＤＮＳサーバに対し行ってＩＰ電話１０２のＩＰアドレスを取得し、この取得したＩＰアドレスによりＩＰ電話１０２へ在宅通知メッセージの発信を行っている。また、図９のステップＳ９０９、ステップＳ９１０の在宅通知動作は、図７に示したステップＳ６１２〜ステップＳ６１３の動作と同一であるため、その動作説明は省略する。
【０１１５】
ＩＰ電話１０１は、ユーザによりＩＰ電話１０２の電話番号「３１００００００１」がダイヤルされると、メモリ２０２からその電話番号「３１００００００１」に対応したＩＰ電話１０２のＩＰアドレスを読み出して、電話番号を設定した「ＩＮＶＩＴＥ」メッセージを含む発呼をネットワークＩ／Ｆ２０５からＣＡ１０６に送出する（図１０ステップＳ９１３）。ＣＡ１０６は、ＩＰ電話１０１から「ＩＮＶＩＴＥ」メッセージを含む発呼を受け付けると、この「ＩＮＶＩＴＥ」メッセージに含まれるＴｏヘッダから着信側であるＩＰ電話１０２の電話番号を抽出する。
【０１１６】
そして、ＣＡ１０６は、ＩＰ電話１０１から受信した「ＩＮＶＩＴＥ」メッセージを含む発呼を着信側であるＩＰ電話１０２に送出する（ステップＳ９１４）。ＩＰ電話１０２は、ＣＡ１０６から「ＩＮＶＩＴＥ」メッセージを含む発呼を受け付けると、呼び出し音を鳴動させて着信をユーザに知らせるとともに、「１８０ｒｉｎｇｉｎｇ」メッセージをＣＡ１０６に返送する（ステップＳ９１５）。ＣＡ１０６は、ＩＰ電話１０２から受信した「１８０ｒｉｎｇｉｎｇ」メッセージを発信側のＩＰ電話１０１に返送する（ステップＳ９１６）。
【０１１７】
この時、ＩＰ電話１０１は、ＣＡ１０６から「１８０ｒｉｎｇｉｎｇ」メッセージを受け付けると、ハンドセット２０３のスピーカからリングバックトーンが発音して、着信先のＩＰ電話１０２を呼び出していることをユーザに知らせる。
【０１１８】
次に、ＩＰ電話１０２は、発信側のＩＰ電話１０１のＮＡＰＴＲレコードを問い合わせる「ＩＰ電話１０１ＮＡＰＴＲ問い合わせ」メッセージをＥＮＵＭサーバ１０３に送出して、ＥＮＵＭサーバ１０３からの応答の有無を確認する（ステップＳ９１７）。ＥＮＵＭサーバ１０３は、ＩＰ電話１０２から「ＩＰ電話１０１ＮＡＰＴＲ問い合わせ」メッセージを受け付けると（ステップＳ９１７：応答あり）、データベース４０３に登録されたＩＰ電話１０１のＮＡＰＴＲレコードを抽出し、そのＮＡＰＴＲレコードを設定した「ＩＰ電話１０１ＮＡＰＴＲ応答」メッセージをＩＰ電話１０２に返送する。
【０１１９】
ＩＰ電話１０２は、ＥＮＵＭサーバ１０３から「ＩＰ電話１０１ＮＡＰＴＲ応答」メッセージを受け付けると（ステップＳ９１７：応答あり）、その「ＩＰ電話１０１ＮＡＰＴＲ応答」メッセージに含まれるＮＡＰＴＲレコードの有無からＩＰ電話１０１の登録の有無を確認する（ステップＳ９１８）。ＮＡＰＴＲレコードが有る場合（ステップＳ９１８：登録あり）、ＩＰ電話１０２は、ＩＰ電話１０１の発信番号やユーザ情報を表示装置２０４に表示し（ステップＳ９１９）、呼び出し音を鳴動させて着信をユーザに知らせる（ステップＳ９２０）。
【０１２０】
次に、ＩＰ電話１０２のユーザは、表示装置２０４に表示された情報により発信側ユーザを確認して、その着信を応答するか拒否するかを判断する（ステップＳ９２１）。ＩＰ電話１０２のユーザは、その着信に応答するためハンドセット２０３をオフフックする（ステップＳ９２１：応答）。ＩＰ電話１０２内のＣＰＵ２０１は、オフフックを確認すると、ＩＰ電話１０１に対して接続許可を示す「２００ＯＫ」メッセージを送出する（ステップＳ９２２）。ＩＰ電話１０１は、ＩＰ電話１０２から「２００ＯＫ」メッセージを受け付けると、「ＡＣＫ」メッセージをＩＰ電話１０２に返送する（ステップＳ９２３）。ＩＰ電話１０２は、ＩＰ電話１０１から「ＡＣＫ」メッセージを受け付けると、ＩＰ電話１０１とＩＰ電話１０２との間で通話可能状態となる。
【０１２１】
また、ＩＰ電話１０２は、ＥＮＵＭサーバ１０３からの「ＩＰ電話１０１ＮＡＰＴＲ問い合わせ」メッセージの応答がない場合（ステップＳ９１７：応答なし）、ＩＰ電話１０１のＮＡＰＴＲレコードの登録がない場合（ステップＳ９１８：登録なし）、又は、ユーザによるオフフック操作がなく着信が拒否された場合（ステップＳ９２１：拒否）、ＩＰ電話１０１に対して「４８６ＢＵＳＹ」メッセージを送出し（ステップＳ９２４）、通話失敗終了処理を実行する（ステップＳ９２５）。
【０１２２】
以上のように、本実施の形態のＩＰ電話システム１００では、ＩＰ電話１０１，１０２がＥＮＵＭサーバ１０３に対してＮＡＰＴＲレコードを自動的に登録する機能を有するため、ＩＰ電話１０１，１０２のユーザは、ＥＮＵＭサーバ１０３にＮＡＰＴＲレコードを登録する手間を省略することができる。
【０１２３】
また、本実施の形態のＩＰ電話システム１００では、ＩＰ電話１０１，１０２がＣＡ１０６を介して通話までの処理を実行する機能を有するため、ＥＮＵＭサーバ１０３にＮＡＰＴＲレコード登録後のＣＡ１０６を介した通話処理を簡便に行うことができる。
【０１２４】
以上の実施の形態ではＩＰ電話１０１からＩＰ電話１０２への在宅通知を説明したが、同様の手順で通話前にＩＰ電話１０２からＩＰ電話１０１へ在宅通知を行うことも可能である。以上の実施の形態では在宅キーの押下を契機としてＩＰ電話のＮＡＰＴＲレコードをＥＮＵＭサーバへ登録し、その後特定の相手へ在宅通知を行っているが、ＮＡＰＴＲレコードへの登録のみ、あるいは、特定の相手への在宅通知のみを行うようにすることも可能である。
【０１２５】
したがって、本発明をＩＰ電話システムに適用することにより、ＩＰ電話のユーザにとって使い勝手の良いＩＰ電話システムを提供することができる。
【産業上の利用可能性】
【０１２６】
本発明に係るＩＰ電話装置、ＥＮＵＭサーバ及びＩＰ電話システムによれば、ＩＰ電話装置のユーザがＥＮＵＭサーバにＮＡＰＴＲレコードを登録する手間を省略することができ、ＩＰ電話装置のユーザの負担を軽減するＩＰ電話システムを提供できる点で有用である。
【図面の簡単な説明】
【０１２７】
【図１】本発明を適用した実施の形態１に係るＩＰ電話システムの構成を示す図
【図２】本実施の形態１に係るＩＰ電話の構成を示すブロック図
【図３】図２のＩＰ電話の外観を示す正面図
【図４】本実施の形態１に係るＥＮＵＭサーバの構成を示すブロック図
【図５】本実施の形態１に係るＩＰ電話システムにおいて、ＩＰ電話がＥＮＵＭサーバに対してＮＡＰＴＲレコードを登録要求し、続いて、ＩＰ電話間で通話するまでの動作を説明するためのシーケンス図
【図６】図５のシーケンス図におけるＩＰ電話システムの動作を説明するためのフローチャート図
【図７】図６に続く動作を説明するためのフローチャート図
【図８】本発明を適用した実施の形態２に係るＩＰ電話システムにおいて、ＩＰ電話がＥＮＵＭサーバに対してＮＡＰＴＲレコードを登録要求し、続いて、ＩＰ電話間で通話するまでの動作を説明するためのシーケンス図
【図９】図８のシーケンス図におけるＩＰ電話システムの動作を説明するためのフローチャート図
【図１０】図９に続く動作を説明するためのフローチャート図
【図１１】本実施の形態１に係るＮＡＰＴＲレコードの一例を示す図
【符号の説明】
【０１２８】
１００  ＩＰ電話システム
１０１，１０２  ＩＰ電話
１０３  ＥＮＵＭサーバ
１０４  ＤＮＳサーバ
１０５  ＩＰネットワーク
１０６  ＣＡ
２０１，４０１  ＣＰＵ
２０２，４０２  メモリ
２０３  ハンドセット
２０４  表示装置
２０５，４０５  ネットワークＩ／Ｆ
３０５  在宅表示ランプ
３０８  在宅キー
４０３  データベース
【図１】
2006094463.tif 000003
【図２】
2006094463.tif 000004
【図３】
2006094463.tif 000005
【図４】
2006094463.tif 000006
【図５】
2006094463.tif 000007
【図６】
2006094463.tif 000008
【図７】
2006094463.tif 000009
【図８】
2006094463.tif 000010
【図９】
2006094463.tif 000011
【図１０】
2006094463.tif 000012
【図１１】
2006094463.tif 000013